(57)【要約】      （修正有）【課題】ノズル洗浄部付近に汚物が固着せず、固着しても掃除が容易であって使用者に対していつも清潔が維持できるようにした温水洗浄便座のノズル洗浄部構造温水洗浄便座のノズル洗浄部構造を提供する。【解決手段】温水洗浄便座１０の本体に、ノズル本体２１０が結合される本体１００の内側面に、ノズル本体２１０周辺部を他の部位と区分できるように、本体隔壁１１０を形成し、前記本体隔壁１１０から脱装着されながら異物の固着防止及び異物の除去が容易となるようにステンレススチールの二重材質からなり、本体１００から脱装着が可能となるように、本体隔壁１１０に装着される固定部３２０が形成された洗浄受皿部３００を形成する。【選択図】図１
2014101746.tif 000002
【特許請求の範囲】
【請求項１】
便座に設けられてノズルを介して洗浄水を噴射することで、肛門または局部の洗浄及びマッサージが行われるように、ノズルアセンブリを備える温水洗浄便座のノズル洗浄部構造において、
前記ノズルを介して洗浄水が噴射されて局部を洗浄することができるノズルアセンブリと、
本体の下部側面に、ノズルを洗浄するための自己洗浄ノズルに洗浄受皿部を含むノズル本体と、
前記本体の上端に脱装着可能に結合されてノズルから局部に洗浄水を吐出後、自己洗浄ノズルを介してノズルに付着された汚物を洗浄する際、本体に固着せず、円滑に排出されるように、洗浄受皿部を含んで形成されたことを特徴とする温水洗浄便座のノズル洗浄部構造。
【請求項２】
前記洗浄受皿部は、本体のノズルアセンブリの下端に位置して異物の固着を防止し、異物が固着したとしても除去が容易になるように脱装着可能に結合され、ノズル洗浄時に両方面に異物を含むノズル洗浄水が飛び散らないように隔壁が形成され、前記隔壁の上端に洗浄受皿部を本体の本体隔壁に固定することができるように固定部が形成されていることを特徴とする請求項１に記載の温水洗浄便座のノズル洗浄部構造。
【請求項３】
前記一方の隔壁下部には異物が固着せず、円滑に流れるようにベンディング処理された傾斜部が形成されていることを特徴とする請求項２に記載の温水洗浄便座のノズル洗浄部構造。
【請求項４】
前記洗浄受皿部の底面には、前記自己洗浄ノズルが載置できるように、載置溝が形成されていることを特徴とする請求項１に記載の温水洗浄便座のノズル洗浄部構造。
【請求項５】
前記洗浄受皿部は、耐熱素材であるステンレス材質の二重構造からなることを特徴とする請求項１に記載の温水洗浄便座のノズル洗浄部構造。
【発明の詳細な説明】
【技術分野】
【０００１】
本発明は、温水洗浄便座のノズル洗浄部構造に関し、より詳しくは、温水洗浄便座の本体に、ステンレススチールの二重構造で洗浄受皿部を形成することで、ノズル洗浄部付近に汚物が固着せず、また固着したとしても掃除が容易であるため、使用者に対していつも清潔を維持させる温水洗浄便座のノズル洗浄部構造(Nozzles cleansing apparatus of bidet)に関する。
【背景技術】
【０００２】
一般に温水洗浄便座は便器に装着されるが、ここで、便器は使用者の用便を楽な姿勢で済ませるようにするための器具である。
【０００３】
そして、温水洗浄便座は便器に設置され、用便を済ませた後、便利に後始末ができるように開発されている。
【０００４】
このような温水洗浄便座は、便器のシート及びカバーで構成され、便器のシートを暖かくしたり、使用者の選択により水を用いて人の肛門または局部を洗浄したり、水気を乾かしたりする。
【０００５】
そこで、肛門または局部の洗浄は、水槽の水を、ノズルを介して噴射させて肛門または局部を洗浄する。
【０００６】
この場合、肛門または局部を洗浄する際、異物が付着されて細菌繁殖に脆弱な状態となる。
【０００７】
このような細菌繁殖を防止するために水槽の水を用いてノズルを洗浄する。
【０００８】
従来には、大韓民国公開特許公報第10-2013-0008909号の「温水洗浄便座のノズルアセンブリ」のように既存の温水洗浄便座は、合成樹脂からなる本体底部に、人体の局部を洗浄する洗浄水を吐出するノズルアセンブリが形成されていた。
【０００９】
このようなノズルは局部に洗浄水を吐出する前に、ノズルアセンブリに備えられた洗浄孔から噴射される洗浄水を介して既存のノズルに付着した汚物を洗浄させ、ノズルにより局部に洗浄水を吐出した後にも、洗浄時に局部から移された汚物がついたノズルを洗浄させる。
【００１０】
上記ノズルの洗浄過程において洗浄水によりノズルに付着した汚物が洗浄される際、汚物の大部分は洗浄水とともに本体外部に排出されて陶器中に入るが、一部の汚物は本体内部から排出されず、ノズル洗浄部の付近に蓄積される。
【００１１】
よって、温水洗浄便座を長期間使用すると、合成樹脂からなる本体のノズル洗浄部の付近に蓄積された汚物の量が増加して固着され、本体内部より掃除することが困難であって、衛生状態が非常に悪くなるため清潔が維持されないという問題点があった。
【先行技術文献】
【特許文献】
【００１２】
【特許文献１】大韓民国特許出願公開第10-2013-0008909号明細書
【発明の概要】
【発明が解決しようとする課題】
【００１３】
したがって、本発明は、上記のような問題点を解決するために案出されたものであって、その目的は、第一、温水洗浄便座の本体にステンレススチールの洗浄受皿部を形成してノズル本体周辺部を他の部位と区分することで、洗浄水噴射過程においてノズル本体周辺部を越えて異物を含む洗浄水が飛び散ることを防止するとともに、異物の固着を防止することができるため、いつも清潔を維持して使用者に信頼感を極大化させすることができる。
【００１４】
第二、温水洗浄便座のノズル洗浄部周辺部に異物が固着した後にも、容易に除去することができ、使用上の便利性を極大化することができる。
【００１５】
第三、温水洗浄便座の本体に形成された洗浄受皿部を本体から容易に脱装着することができることで、製品の効率性及び使用者に便宜性を極大化することができる温水洗浄便座のノズル洗浄部構造を提供することができる。
【課題を解決するための手段】
【００１６】
上記の目的を達成するための本発明は、ノズル本体が結合される本体の内側面にノズル本体周辺部を他の部位と区分できるように本体隔壁を形成し、前記本体隔壁に脱装着されて異物の固着防止及び異物の除去が容易になるように、ステンレススチールの二重材質からなる洗浄受皿部を形成することを特徴とする。
【００１７】
また、前記洗浄受皿部は、本体に脱装着されるように、両端上部に固定部が形成され、底面にノズル本体が載置できるように載置溝が形成されることを特徴とする温水洗浄便座のノズル洗浄部構造が提供される。
【発明の効果】
【００１８】
このように、本発明は、温水洗浄便座の本体にノズル本体と分離できるように、本体隔壁と本体隔壁とに脱装着されるステンレススチールの二重材質で洗浄受皿部を形成して本体の周辺部を他の部位と区分させることで、洗浄水噴射過程においてノズル本体周辺部を越えて異物を含む洗浄水が飛び散ることを防止でき、異物の吸着及び掃除が容易であるため製品の清潔性及び信頼性を極大化するとともに、本体隔壁に、隔壁が脱装着可能な結合構造を有し、使用上の便宜性及び製品の効率性を極大化することができる。
【図面の簡単な説明】
【００１９】
【図１】本発明による温水洗浄便座のノズル洗浄部装着構造を示す分解斜視図である。
【図２】本発明による温水洗浄便座のノズル洗浄部装着構造を示す斜視図である。
【図３】本発明による温水洗浄便座のノズル洗浄部装着構造を示す平面図である。
【図４】本発明による温水洗浄便座のノズル洗浄部装着構造を示す概略斜視図である。
【図５】本発明による温水洗浄便座の洗浄受皿部を示す斜視図である。
【発明を実施するための形態】
【００２０】
以下に添付図面を参照しながら、本発明の好適な実施の形態について詳細に説明する。
【００２１】
図１は本発明による温水洗浄便座のノズル洗浄部装着構造を示す分解斜視図であり、図２は本発明による温水洗浄便座のノズル洗浄部装着構造を示す斜視図であり、図３は本発明による温水洗浄便座のノズル洗浄部装着構造を示す平面図であり、図４は本発明による温水洗浄便座のノズル洗浄部装着構造を示す概略斜視図であり、図５は本発明による温水洗浄便座の洗浄受皿部を示す斜視図である。
【００２２】
図１ないし図５に示すように、本発明の便座に設置され、ノズルを介して洗浄水を噴射することで、肛門または局部の洗浄及びマッサージが行われるようにノズルアセンブリ２００を備える温水洗浄便座１０は、本体１００と、前記本体１００に結合されて洗浄水を噴射するノズル本体２１０と、前記本体１００の上端に結合されて異物の固着を防止する洗浄受皿部３００と、で形成される。
【００２３】
前記本体１００には、ノズル本体２１０の周辺部を他の部位と区分して洗浄水噴射過程においてノズル本体２１０の周辺部を超えて異物を含む洗浄水が飛び散らないように本体隔壁１１０が形成される。
【００２４】
前記ノズル本体２１０は、本体１００の内側面に結合され、下部側面にノズルを洗浄するための自己洗浄ノズル２２０が形成される。
【００２５】
前記洗浄受皿部３００は、本体１００の上端に異物の固着を防止するが、異物が固着したとしても除去が容易になるように脱装着が可能に結合され、両方面に異物を含むノズル洗浄水が飛び散らないように隔壁３１０が形成され、前記隔壁３１０の上端に、洗浄受皿部３００を本体１００の本体隔壁１１０に固定することができるように固定部３２０が形成される。
【００２６】
このとき、前記固定部３２０は、フック方式やボルト締結方式など、多様に形成することが好ましい。
【００２７】
また、前記一方の隔壁３１０下部には、異物の固着が防止できるベンディング処理された傾斜部３３０が形成される。
【００２８】
前記洗浄受皿部３００の底面には、前記自己洗浄ノズル２２０が載置できるように載置溝３４０が形成される。
【００２９】
一方、前記洗浄受皿部３００は、耐熱素材であるステンレス材質の二重構造からなる。
【００３０】
次に、前記のような構成からなる本発明による作用状態を詳細に説明する。
【００３１】
前記本体１００上に、ノズル本体２１０が形成されて本体１００上から出入が行われ、前記本体１００に本体隔壁１１０が形成されてノズル本体２１０周辺部を他の部位と区分することで、洗浄水噴射過程において本体隔壁１１０によりノズル本体２１０の周辺部を越えて異物を含む洗浄水が飛び散ることを防止することができ、ノズル本体２１０の周辺部と隣接する他の部位が汚染されることを防止することができる。
【００３２】
そして、前記本体１００上端に、ノズル本体２１０を支持しながら洗浄受皿部３００が装着されることで、ノズル本体２１０から洗浄水が噴射される際に洗浄受皿部３００によりノズル洗浄部の付近に汚物が固着されない。
【００３３】
また、前記洗浄受皿部３００の両方に隔壁３１０が形成されることで、洗浄水噴射過程において異物を含む洗浄水が本体に飛び散ることを防止することができる。
【００３４】
これとともに、前記洗浄受皿部３００の一側に形成される隔壁３１０の下部に傾斜部３３０が形成されるので、噴射される洗浄水が固着されない。
【００３５】
このように、本発明は、前記本体１００上端に洗浄受皿部３００を装着することで、自己洗浄ノズル２２０を介してノズル洗浄を行うことが本体１００内部から円滑に排出され、ノズル洗浄部の付近に蓄積されないので、掃除が容易であり、ノズル本体２１０の周辺部の衛生状態がいつも清潔に維持することができる。
【００３６】
一方、前記洗浄受皿部３００は、本体隔壁１１０に脱装着可能に固定部３２０に装着されて前記本体１００から洗浄受皿部３００を容易に脱装着することができて使用が便利であり掃除が容易となる。
【００３７】
そして、前記洗浄受皿部３００をステンレススチールの二重構造で形成され、金属からなるために、高熱に強いノズル本体２１０とともに耐熱性を有し、高温により変形されない。
【００３８】
上述のように、洗浄受皿部３００に載置溝３４０が形成されるので、前記ノズル本体２１０の自己洗浄ノズル２２０が載置溝３４０に安定的に載置されることができる。
【００３９】
したがって、本発明による温水洗浄便座１０は、前記本体１００に本体隔壁１１０を形成し、本体隔壁１１０に固定部３２０に脱装着することができるように隔壁３１０が形成されたステンレススチールの洗浄受皿部３００が装着されて、ノズル本体２１０から局部に洗浄水を吐出する際に局部から移された汚物がステンレススチールの二重構造からなる洗浄受皿部３００によりノズル洗浄部の付近に蓄積されず、本体１００の外部に円滑に排出される。
【００４０】
また、本発明は、前記固定部３２０により洗浄受皿部３００が本体１００から容易に分離され、汚物が固着時にも掃除が容易となり、使用者に対していつも清潔を維持させることができる。
【００４１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４２】
１０    温水洗浄便座
１００    本体
１１０    本体隔壁
２００    ノズルアセンブリ
２１０    ノズル本体
２２０    自己洗浄ノズル
３００    洗浄受皿部
３１０    隔壁
３２０    固定部
３３０    傾斜部
３４０    載置溝
【図１】
2014101746.tif 000003
【図２】
2014101746.tif 000004
【図３】
2014101746.tif 000005
【図４】
2014101746.tif 000006
【図５】
2014101746.tif 000007